(57)【要約】【課題】  この発明は、接合するパイプに溶接などを施すことなく、短時間に部材同士を接合することができるパイプ連結装置を提供する。【解決手段】  この発明は、支柱６に設けられたスリット６１に下側ジョイント金具２１と、中間プレート２２と、上側ジョイント金具２３からアーム用ジョイント金具３のフック２１ｂ、２３ｂを係合させ、穴７１を設けたアームパイプ７をアーム用ジョイント金具２に挿入し、ねじ８で締め付けて下側ジョイント金具２１と上側ジョイント金具２３のフック２１ｂ、２３ｂを移動させて、アームパイプ７がアーム用ジョイント金具２を介して支柱６に取り付けられる。【選択図】  図１２
2018128029.tif 000002
【特許請求の範囲】
【請求項１】
パイプからなる支柱に設けられた開口部にアーム用ジョイント金具を係合させ、このアーム用ジョイント金具がアームパイプ内部に挿入され、アーム用ジョイント金具を介して支柱にアームパイプを取り付けるパイプ連結装置であって、
前記アーム用ジョイント金具は、下側ジョイント金具と、この下側ジョイント金具と係合する中間プレートと、この中間プレートと係合する上側ジョイント金具からなり、
前記下側ジョイント金具は、前記支柱の開口部に挿入される下方向に向いたフックと、前記開口部と係合する下方に開放された係合凹部と、前記中間プレートと係合する係合突部とが設けられ、
前記上側ジョイント金具は、前記支柱の開口部に挿入される上方向に向いたフックと、前記開口部と係合する上方に開放された係合凹部と、前記中間プレートと係合する係合突部と、ねじが挿通される穴とが設けられ、
前記中間プレートは、前記下側ジョイント金具の係合突部と前記上側ジョイント金具の係合突部とに係合する係合部とが設けられると共に、前記上側ジョイント金具の穴に対応する位置にねじ穴が設けられ、
前記アームパイプにねじが挿通される穴が設けられ、
前記アーム用ジョイント金具が挿入された前記アームパイプの穴からねじを挿通し、前記中間プレートのねじ穴にねじをねじ込み、前記下側ジョイント金具にねじを当接させ、前記下側ジョイント金具と上側ジョイント金具のフックを移動させ、前記下側ジョイント金具の係合凹部と上側ジョイント金具の係合凹部を前記支柱の開口部に固持させ、前記アームパイプが前記アーム用ジョイント金具を介して前記支柱に取り付けられることを特徴とするパイプ連結装置。
【請求項２】
前記支柱の開口部は、支柱の一面に並んで設けられたスリットであることを特徴とする請求項１に記載のパイプ連結装置。
【請求項３】
前記下側ジョイント金具は、本体部と、この本体部から直交する様に下側に折り曲げられた一対の脚部と、この脚部に連接して前記支柱のスリットに挿入される前記フックと、このフックの基端部に設けられた前記係合凹部とを有し、
前記上側ジョイント金具は、本体部と、この本体部から直交する様に上側に折り曲げられた一対の脚部と、この脚部に連接して前記支柱のスリットに挿入される前記フックと、このフックの基端部に設けられた前記係合凹部とを有することを特徴とする請求項２に記載のパイプ連結装置。
【請求項４】
前記下側ジョイント金具の前記本体部の上面には、２つの前記係合突起が設けられ、前記上側ジョイント金具の前記本体部の下面には、２つの前記係合突起が設けられ、前記中間プレートに、前記係合突起と係合する係合穴が設けられていることを特徴とする請求項３に記載のパイプ連結装置。
【請求項５】
下側ジョイント金具の本体部と上側ジョイント金具の本体部の長さは同じ長さに形成され、前記中間プレートは矩形形状に形成され、前記本体部の長さと同じ長さに形成されていることを特徴とする請求項３または４に記載のパイプ連結装置。
【請求項６】
前記下側ジョイント金具の係合突起に前記中間プレートの係合穴を合わせて、前記下側ジョイント金具の上に前記中間プレートを載置すると、前記ねじ穴の下は、前記下側ジョイント金具の本体部の上面が位置し、前記ねじ穴にねじ込まれたねじが前記本体部の上面と当接することを特徴とする請求項３から５のいずれか１項に記載のパイプ連結装置。
【請求項７】
前記下側ジョイント金具と前記中間プレートと前記上側ジョイント金具を組み合わせたアーム用ジョイント金具の終端側の高さは、前記アームパイプの内面に摺接する高さに形成され、前記下側ジョイント金具の脚部と前記上側ジョイント金具の脚部は後端部側から前方に向かってテーパ状にその高さが低く形成されていることを特徴とする請求項３から６のいずれか１項に記載のパイプ連結装置。
【請求項８】
前記アームパイプは、下面に切り欠き部が設けられ、
前記下側ジョイント金具は、本体部と、この本体部から直交する様に下側に折り曲げられた一対の脚部と、この脚部に連接して前記支柱のスリットに挿入される前記フックと、このフックの基端部に設けられた前記係合凹部と、前記本体部の後方に設けられた係合台座と、この係合台座に設けられた門部と、この門部と係合台座との間に設けられた開口部と、前記アームパイプの切り欠き部に係合する爪部とを有し、
前記上側ジョイント金具は、本体部と、この本体部から直交する様に上側に折り曲げられた一対の脚部と、この脚部に連接して前記支柱のスリットに挿入される前記フックと、このフックの基端部に設けられた前記係合凹部と、前記本体部の後方に設けられ、前記下側ジョイント金具の開口部に挿入される後端突出部とを有し、
前記後端突出部にコイルばねを装着し、前記後端突出部を前記開口部に挿入し、前記コイルバネの付勢力により、前記上側ジョイント金具が前方に付勢されていることを特徴とする請求項２に記載のパイプ連結装置。
【請求項９】
前記中間プレートは矩形状に形成され、前記側に切り欠き部が、この切り欠き部の後方側にねじ穴が、このねじ穴の後方側に係合穴が、この係合穴の後方に長穴が設けられ、
前記下側ジョイント金具の本体部の上面に、前記本体部の下面から打ち出して上面に突出するように形成された２つの係合突起が設けられ、一方の係合部が前記切り欠き部と係合し、他方の係合突起が前記長穴と係合し、
前記上側ジョイント金具の本体部の下面に２つの係合突起が設けられ、一方の係合部が前記切り欠き部と係合し、他方の係合突起が前記係合穴と係合し、
前記下側ジョイント金具に対して前記中間プレートと上側ジョイント金具が一体に移動可能に支持されていることを特徴とする請求項８に記載のパイプ連結装置。
【請求項１０】
前記上側ジョイント金具の脚部の終端側に上方に突出する山部が設けられ、
前記アーム用ジョイント金具の下側ジョイント金具の脚部の下端と、上側ジョイント金具の山部の上端は、アームパイプの内面に摺接する大きさに形成されていることを特徴とする請求項８または９に記載のパイプ連結装置。
【請求項１１】
前記下側ジョイント金具上に中間プレートを載置し、中間プレートの上に上側ジョイント金具を載置し、これら３つの部材を板バネからなるコ字型の取付部材を用いて挟み込んで固定することを特徴とする請求項８から１０のいずれか１項に記載のパイプ連結装置。
【請求項１２】
前記アームパイプの内部に前記アーム用ジョイント金具を挿入し、前記下側ジョイント金具の爪部を前記アームパイプの切り欠き部に係合させ、前記アームパイプに前記アーム用ジョイント金具を取り付けることを特徴とする請求項８から１１のいずれか１項に記載のパイプ連結装置。
【請求項１３】
前記上側ジョイント金具は、前記支柱の壁面に当接すると、前記コイルばねの付勢力に抗して、前記上側ジョイント金具と中間プレートが支柱の壁面から遠ざかる方向に移動し、前記アームパイプ内に上側ジョイント金具のフックが入り込み、
上側ジョイント金具のフックが支柱のスリットに臨むと、前記コイルばねの付勢力により、前記上側ジョイント金具と中間プレートは、前方へ移動し、前記上側ジョイント金具のフックがスリット内に入り込み、前記係合凹部がスリットの上端部の下に位置することを特徴とする請求項１１に記載のパイプ連結装置。
【請求項１４】
前記アームパイプの穴にねじを差し込み、前記中間プレートのねじ穴にねじをねじ込んで、前記上側ジョイント金具を上側に移動させ、前記スリットの端部に下側ジョイント金具の係合凹部、上側ジョイント金具の係合凹部を固持し、前記アームパイプが前記アーム用ジョイント金具を介して支柱に取り付けることを特徴とする請求項１２に記載のパイプ連結装置。
【発明の詳細な説明】
【技術分野】
【０００１】
この発明は、パイプ連結装置に関し、組み立て現場での作業が簡易で、しかも部材の取り扱いが容易なパイプ連結装置に関するものである。
【背景技術】
【０００２】
パイプ柱に直交してパイプを接合する場合には、両者を溶接にて取り付けるか、連結板を宛がって、ボルトとナットで取り付けるようにしていた。
【０００３】
溶接により取り付ける場合には、ガスボンベやトーチなどが必要で一定の技術を習得した者が必要となり、現場での作業性は悪くなる。また、連結板を宛がって、ボルトとナットで接合するものは、多くの工数を必要とするにもかかわらず綺麗に仕上がらない問題がある。
【０００４】
組み立て現場で簡単に作業ができ、綺麗に仕上げることができる部材の接合構造が提案されている（特許文献１参照）。図４１〜図４３に従い特許文献1に記載されている部材の接合構造について説明する。図に示すように、スリット１１１を二列に設けた角パイプ柱１１２と、接合端の対向する内面に楔１１３を溶接した角パイプ１１４と、片端に互いに反対向きのフック１１５を形成し、それから他端に向かう途中の両外側に楔面１１６を形成した二枚一組の板片１１７の一方に雌ねじ１１８を設け、この二枚の板片１１７はバネ１１９によって上記フック１１５が図のように広がる方向に付勢させて連携した引き寄せ部材１２０とからなっている。
【０００５】
上記角パイプ柱１１２と角パイプ１１４の接合は、引き寄せ部材１２０のフック１１５をバネ１１９の付勢に抗して縮めて、上記各パイプ柱１１２のスリット１１１に係合させると、バネ１１９の付勢によりフック１１５の上下端に引っ掛かる。
【０００６】
この引き寄せ部材１２０に上記角パイプ１１４の接合端を被せ、上記雌ねじ１１８に雄ねじ１２１を角パイプ１１４の穴を経て螺合させると、上記二枚一組の板片１１７の間隔は拡がり、上記楔１１３と楔面１１６が当接し、楔作用により角パイプ柱１１２と角パイプ１１４が引き寄せられて接合される。
【０００７】
このように、この特許文献１によれば、接合作業には、溶接のガスボンベやトーチを必要とせずに、短時間に綺麗に部材の接合構造を得ることができる。
【先行技術文献】
【特許文献】
【０００８】
【特許文献１】特開２００４−１６２８９６号公報
【発明の概要】
【発明が解決しようとする課題】
【０００９】
しかしながら、上記した特許文献１の構造においては、接合端の対向する内面に楔１１３を溶接した特別な角パイプ１１４を用いる必要がある。このため、角パイプ１１４に楔１１３を溶接する作業が必要となり、作業工程が増すなどの難点がある。
【００１０】
この発明は、接合するパイプに溶接などを施すことなく、短時間に部材同士を接合することができるパイプ連結装置を提供することを課題とする。
【課題を解決するための手段】
【００１１】
この発明は、パイプからなる支柱に設けられた開口部にアーム用ジョイント金具を係合させ、このアーム用ジョイント金具がアームパイプ内部に挿入され、アーム用ジョイント金具を介して支柱にアームパイプを取り付けるパイプ連結装置であって、前記アーム用ジョイント金具は、下側ジョイント金具と、この下側ジョイント金具と係合する中間プレートと、この中間プレートと係合する上側ジョイント金具からなり、前記下側ジョイント金具は、前記支柱の開口部に挿入される下方向に向いたフックと、前記開口部と係合する下方に開放された係合凹部と、前記中間プレートと係合する係合突部とが設けられ、前記上側ジョイント金具は、前記支柱の開口部に挿入される上方向に向いたフックと、前記開口部と係合する上方に開放された係合凹部と、前記中間プレートと係合する係合突部と、ねじが挿通される穴とが設けられ、前記中間プレートは、前記下側ジョイント金具の係合突部と前記上側ジョイント金具の係合突部とに係合する係合部とが設けられると共に、前記上側ジョイント金具の穴に対応する位置にねじ穴が設けられ、前記アームパイプにねじが挿通される穴が設けられ、前記アーム用ジョイント金具が挿入された前記アームパイプの穴からねじを挿通し、前記中間プレートのねじ穴にねじをねじ込み、前記下側ジョイント金具にねじを当接させ、前記下側ジョイント金具と上側ジョイント金具のフックを移動させ、前記下側ジョイント金具の係合凹部と上側ジョイント金具の係合凹部を前記支柱の開口部に固持させ、前記アームパイプが前記アーム用ジョイント金具を介して前記支柱に取り付けられることを特徴とする。
【００１２】
また、前記支柱の開口部は、支柱の一面に並んで設けられたスリットである。
【００１３】
また、前記下側ジョイント金具は、本体部と、この本体部から直交する様に下側に折り曲げられた一対の脚部と、この脚部に連接して前記支柱のスリットに挿入される前記フックと、このフックの基端部に設けられた前記係合凹部とを有し、前記上側ジョイント金具は、本体部と、この本体部から直交する様に上側に折り曲げられた一対の脚部と、この脚部に連接して前記支柱のスリットに挿入される前記フックと、このフックの基端部に設けられた前記係合凹部とを有するように構成することができる。
【００１４】
さらに、前記下側ジョイント金具の前記本体部の上面には、２つの前記係合突起が設けられ、前記上側ジョイント金具の前記本体部の下面には、２つの前記係合突起が設けられ、前記中間プレートに、前記係合突起と係合する係合穴が設けられているように構成することができる。
【００１５】
また、下側ジョイント金具の本体部と上側ジョイント金具の本体部の長さは同じ長さに形成され、前記中間プレートは矩形形状に形成され、前記本体部の長さと同じ長さに形成すればよい。
【００１６】
また、前記下側ジョイント金具の係合突起に前記中間プレートの係合穴を合わせて、前記下側ジョイント金具の上に前記中間プレートを載置すると、前記ねじ穴の下は、前記下側ジョイント金具の本体部の上面が位置し、前記ねじ穴にねじ込まれたねじが前記本体部の上面と当接するように構成するとよい。
【００１７】
また、前記下側ジョイント金具と前記中間プレートと前記上側ジョイント金具を組み合わせたアーム用ジョイント金具の終端側の高さは、前記アームパイプの内面に摺接する高さに形成され、前記下側ジョイント金具の脚部と前記上側ジョイント金具の脚部は後端部側から前方に向かってテーパ状にその高さが低く形成されているように構成することができる。
【００１８】
また、この発明は、前記アームパイプは、下面に切り欠き部が設けられ、前記下側ジョイント金具は、本体部と、この本体部から直交する様に下側に折り曲げられた一対の脚部と、この脚部に連接して前記支柱のスリットに挿入される前記フックと、このフックの基端部に設けられた前記係合凹部と、前記本体部の後方に設けられた係合台座と、この係合台座に設けられた門部と、この門部と係合台座との間に設けられた開口部と、前記アームパイプの切り欠き部に係合する爪部とを有し、前記上側ジョイント金具は、本体部と、この本体部から直交する様に上側に折り曲げられた一対の脚部と、この脚部に連接して前記支柱のスリットに挿入される前記フックと、このフックの基端部に設けられた前記係合凹部と、前記本体部の後方に設けられ、前記下側ジョイント金具の開口部に挿入される後端突出部とを有し、前記後端突出部にコイルばねを装着し、前記後端突出部を前記開口部に挿入し、前記コイルバネの付勢力により、前記上側ジョイント金具が前方に付勢されていることを特徴とする。
【００１９】
さらに、前記中間プレートは矩形状に形成され、前記側に切り欠き部が、この切り欠き部の後方側にねじ穴が、このねじ穴の後方側に係合穴が、この係合穴の後方に長穴が設けられ、前記下側ジョイント金具の本体部の上面に、前記本体部の下面から打ち出して上面に突出するように形成された２つの係合突起が設けられ、一方の係合部が前記切り欠き部と係合し、他方の係合突起が前記長穴と係合し、前記上側ジョイント金具の本体部の下面に２つの係合突起が設けられ、一方の係合部が前記切り欠き部と係合し、他方の係合突起が前記係合穴と係合し、前記下側ジョイント金具に対して前記中間プレートと上側ジョイント金具が一体に移動可能に支持されているように構成することができる。
【００２０】
また、前記上側ジョイント金具の脚部の終端側に上方に突出する山部が設けられ、前記アーム用ジョイント金具の下側ジョイント金具の脚部の下端と、上側ジョイント金具の山部の上端は、アームパイプの内面に摺接する大きさに形成すればよい。
【００２１】
また、前記下側ジョイント金具上に中間プレートを載置し、中間プレートの上に上側ジョイント金具を載置し、これら３つの部材を板バネからなるコ字型の取付部材を用いて挟み込んで固定するように構成することができる。
【００２２】
また、前記アームパイプの内部に前記アーム用ジョイント金具を挿入し、前記下側ジョイント金具の爪部を前記アームパイプの切り欠き部に係合させ、前記アームパイプに前記アーム用ジョイント金具を取り付ければよい。
【００２３】
また、前記上側ジョイント金具は、前記支柱の壁面に当接すると、前記コイルばねの付勢力に抗して、前記上側ジョイント金具と中間プレートが支柱の壁面から遠ざかる方向に移動し、前記アームパイプ内に上側ジョイント金具のフックが入り込み、上側ジョイント金具のフックが支柱のスリットに臨むと、前記コイルばねの付勢力により、前記上側ジョイント金具と中間プレートは、前方へ移動し、前記上側ジョイント金具のフックがスリット内に入り込み、前記係合凹部がスリットの上端部の下に位置する。そして、前記アームパイプの穴にねじを差し込み、前記中間プレートのねじ穴にねじをねじ込んで、前記上側ジョイント金具を上側に移動させ、前記スリットの端部に下側ジョイント金具の係合凹部、上側ジョイント金具の係合凹部を固持し、前記アームパイプが前記アーム用ジョイント金具を介して支柱に取り付けることができる。
【発明の効果】
【００２４】
この発明によれば、溶接などを用いず、各部材を容易に形成できると共に、支柱のスリットにアーム用ジョイント金具のフックを係合させ、穴を設けたアームパイプをアーム用ジョイント金具に挿入し、ねじで締め付けるという簡単な作業で支柱のスリットにアームパイプを取り付けることができる。
【図面の簡単な説明】
【００２５】
【図１】この発明のパイプ連結装置に用いられるアーム用ジョイント金具を示す分解斜視図である。
【図２】この発明のパイプ連結装置に用いられるアーム用ジョイント金具を示す分解側面図である。
【図３】この発明のパイプ連結装置に用いられるアーム用ジョイント金具の下側ジョイント金具を支柱のスリットに取り付けた状態を示す斜視図である。
【図４】この発明のパイプ連結装置に用いられるアーム用ジョイント金具の上側ジョイント金具を支柱のスリットに取り付ける状態を示す斜視図である。
【図５】この発明のパイプ連結装置に用いられるアーム用ジョイント金具の上側ジョイント金具を支柱のスリットに取り付ける状態を示す断面図である。
【図６】この発明のパイプ連結装置に用いられるアーム用ジョイント金具の上側ジョイント金具を支柱のスリットに取り付けた状態を示す断面図である。
【図７】支柱のスリットに取り付けたアーム用ジョイント金具にアームパイプを挿入する状態を示す斜視図である。
【図８】アーム用ジョイント金具の後端からアームパイプを挿入した状態を示す上面図である。
【図９】図８のＡ−Ａ線断面図である。
【図１０】図８のＢ−Ｂ線断面図である。
【図１１】アーム用ジョイント金具のねじ穴にねじをねじ込んだ状態を示す断面図であり、図８のＡ−Ａ線断面図である。
【図１２】アーム用ジョイント金具のねじ穴にねじをねじ込んだ状態を示す断面図であり、図８のＢ−Ｂ線断面図である。
【図１３】支柱にアーム用ジョイント金具を介して取り付けられたアームパイプに壁面座金を取り付ける状態を示す斜視図である。
【図１４】支柱にアーム用ジョイント金具を介して取り付けられたアームパイプに壁面座金を取り付ける状態を示す斜視図である。
【図１５】支柱にアーム用ジョイント金具を介して取り付けられたアームパイプに壁面座金を取り付けた状態を示す斜視図である。
【図１６】支柱にアーム用ジョイント金具を介して取り付けられたアームパイプに壁面座金を取り付けた状態を示す断面図である。
【図１７】この発明のパイプ連結装置に用いられるアーム用ジョイント金具の下側ジョイント金具を丸パイプからなる支柱のスリットに取り付けた状態を示す斜視図である。
【図１８】この発明のパイプ連結装置に用いられるアーム用ジョイント金具の上側ジョイント金具を丸パイプからなる支柱のスリットに取り付ける状態を示す斜視図である。
【図１９】丸パイプからなる支柱のスリットに取り付けたアーム用ジョイント金具に丸パイプからなるアームパイプを挿入する状態を示す斜視図である。
【図２０】丸パイプからなる支柱にアーム用ジョイント金具を介して取り付けられた丸パイプからなるアームパイプに壁面座金を取り付ける状態を示す斜視図である。
【図２１】丸パイプからなる支柱にアーム用ジョイント金具を介して取り付けられた丸パイプからなるアームパイプに壁面座金を取り付ける状態を示す斜視図である。
【図２２】支柱にアーム用ジョイント金具を介して取り付けられたアームパイプに壁面座金を取り付けた状態を示す斜視図である。
【図２３】この発明のパイプ連結装置に用いられる第２の実施形態に係るアーム用ジョイント金具を示す分解斜視図である。
【図２４】この発明のパイプ連結装置に用いられる第２の実施形態に係るアーム用ジョイント金具を示す斜視図である。
【図２５】この発明のパイプ連結装置に用いられる第２の実施形態に係るアーム用ジョイント金具を示す上面図である。
【図２６】図２５のＡ−Ａ線断面図である。
【図２７】この発明のパイプ連結装置に用いられる第２の実施形態に係るアーム用ジョイント金具を示す斜視図である。
【図２８】この発明のパイプ連結装置に用いられる第２の実施形態に係るアーム用ジョイント金具を示す上面図である。
【図２９】図２８のＡ−Ａ線断面図である。
【図３０】この発明の第２の実施形態に用いられるアームパイプを示す斜視図である。
【図３１】この発明の第２の実施形態のアーム用ジョイント金具をアームパイプに装着する状態を示す断面図である。
【図３２】この発明の第２の実施形態のアーム用ジョイント金具をアームパイプに装着した状態を示す断面図である。
【図３３】この発明の第２の実施形態に係るアーム用ジョイント金具を装着したアームパイプを支柱のスリットに取り付ける状態を示す斜視図である。
【図３４】この発明の第２の実施形態に係るアーム用ジョイント金具を装着したアームパイプを支柱のスリットに取り付ける状態を示す斜視図である。
【図３５】この発明の第２の実施形態に係るアーム用ジョイント金具を装着したアームパイプを支柱のスリットに取り付けた状態を示す上面図である。
【図３６】図３５のＡ−Ａ線断面図である。
【図３７】図３５のＢ−Ｂ線断面図である。
【図３８】アーム用ジョイント金具のねじ穴にねじをねじ込んだ状態を示す断面図であり、図３５のＡ−Ａ線断面図である。
【図３９】アーム用ジョイント金具のねじ穴にねじをねじ込んだ状態を示す断面図であり、図３５のＢ−Ｂ線断面図である。
【図４０】支柱にアーム用ジョイント金具を介してアームパイプを取り付けた状態を示す斜視図である。
【図４１】従来例を示す横断面図である。
【図４２】従来例を示す縦断面図である。
【図４３】従来例の引き寄せ部材を示す正面図である。
【発明を実施するための形態】
【００２６】
この発明の実施の形態について図面を参照しながら詳細に説明する。なお、図中同一または相当部分には同一符号を付し、説明の重複を避けるためにその説明は繰返さない。
【００２７】
この発明のパイプ連結装置は、等間隔にスリット６１が設けられた支柱６にアームパイプ７を取り付けるもので、支柱６のスリット６１にアーム用ジョイント金具２を係合させ、このアーム用ジョイント金具２にアームパイプ７を挿入して取り付けるものである。
【００２８】
この実施形態の支柱６は、角パイプの一面に複数の開口部としてのスリット６１が並んで設けられている、いわゆるダブルスリットパイプである。この支柱６は、例えば、床から天井にかけて設置される。そして、設置された支柱６のスリット６１にアーム用ジョイント金具２を係合させ、アームパイプ７を挿入し、後述するように、アームパイプ７に設けた穴７１からねじ８を用いてアーム用ジョイント金具２にアームパイプ７を固定する。この固定のためのねじ８の締め付けにより、アーム用ジョイント金具２は、スリット６１の上下方向に移動し、スリット６１に固定され、支柱６にアームパイプ７が取り付けられる。アームパイプの７の他端には壁面座金９を取り付け、壁面にアームパイプ７を固定する。
【００２９】
図１及び図２に示すように、アーム用ジョイント金具２は、下側ジョイント金具２１と、中間プレート２２と、上側ジョイント金具２３とからなる。
【００３０】
下側ジョイント金具２１は、鋼材で形成され、本体部２１ａとこの本体部２１ａから直交する様に下側に折り曲げられた一対の脚部２１ｆを有し、脚部２１ｆは本体部２１ａから前方に突出する突出部２１ｆ１を有している。そして、前方に突出したそれぞれの突出部２１ｆ１に連接して支柱６のスリット６１に挿入される下方向に向いた横Ｌ字型のフック２１ｂが設けられている。このフック２１ｂの基端部には、下方に開放された係合凹部２１ｃが設けられている。この一対のフック２１ｂの間隔は、支柱６に形成された並設するスリット６１の間隔に対応し、並設されたスリット６１にフック２１ｂが挿入される。
【００３１】
係合凹部２１ｃの前後方向の大きさは、支柱６のスリット６１部分の板厚に対応される大きさに形成されているので、板厚より僅かに大きく形成されている。下側ジョイント金具２１の係合凹部２１ｃは支柱６のスリット６１の下端と係合する。
【００３２】
下側ジョイント金具２１の本体部２１ａの上面には、２つの係合突起２１ｄが設けられている。この係合突起２１ｄは、本体部２１ａの下面から打ち出して上面に突出するように形成されている。この係合突起２１ｄは、下側ジョイント金具２１の上に載置される中間プレート２２に設けられた係合穴２２ｄと係合する。
【００３３】
中間プレート２２は矩形状の鋼材からなり、２つの係合穴２２ｄとねじ穴２２ｅが設けられている。この中間プレート２２の長さは、下側ジョイント金具２１の本体部２１ａの長さと同じ長さに形成されている。
【００３４】
下側ジョイント金具２１の係合突起２１ｄに中間プレート２２の係合穴２２ｄを合わせて、下側ジョイント金具２１の上に中間プレート２２を載置すると、ねじ穴２２ｅの下は、本体部２１ａの上面が位置するように構成されている。
【００３５】
上側ジョイント金具２３は、鋼材で形成され、本体部２３ａとこの本体部２３ａから直交する様に上側に折り曲げられた一対の脚部２３ｆを有し、脚部２３ｆは本体部２３ａから前方に突出する突出部２３ｆ１を有している。そして、前方に突出したそれぞれの突出部２３ｆ１に連接して支柱６のスリット６１に挿入される上方向に向いた横Ｌ字型のフック２３ｂが設けられている。この一対のフック２３ｂの間隔は、支柱６に形成された並設するスリット６１の間隔に対応し、並設されたスリット６１にフック２３ｂが挿入される。係合凹部２１ｃの前後方向の大きさは、支柱６のスリット６１部分の板厚に対応される大きさに形成されているので、板厚より僅かに大きく形成されている。この係合凹部２３ｃは支柱６のスリット６１の上端と係合する。また、上側ジョイント金具２３の本体部２３ａの長さは、下側ジョイント金具２１の本体部２１ａの長さと同じ長さに形成されている。
【００３６】
上側ジョイント金具２３の本体部２３ａの下面には、２つの係合突起２３ｄが設けられている。この係合突起２３ｄは、本体部２３ａの上面から打ち出して下面に突出するように形成されている。この係合突起２３ｄは、上側ジョイント金具２３の下に位置する中間プレート２２に設けられた係合穴２２ｄと係合する。
【００３７】
上側ジョイント金具２３の本体部２３ａには、中間プレート２２に設けられたねじ穴２２ｅと臨む箇所にねじ穴２２ｅより大きい小判型の穴２３ｅが設けられている。
【００３８】
中間プレート２２の係合穴２２ｄに合わせて上側ジョイント金具２３の係合突起２３ｄを係合させると、穴２３ｅの下にねじ穴２２ｅが位置する。後述するように、スリット６１にアーム用ジョイント金具２を取り付け、アーム用ジョイント金具２にアームパイプ７を挿入すると、アームパイプ７に設けた穴７１の下に穴２３ｅを介してねじ穴２２ｅが現れる。アームパイプ７の穴７１にねじ８を挿入し、ねじ８をねじ穴２２ｅにねじ込むことで、支柱６にアーム用ジョイント金具２を介してアームパイプ７が取り付けられる。
【００３９】
下側ジョイント金具２１と中間プレート２２と上側ジョイント金具２３を組み合わせたアーム用ジョイント金具２の終端側は、アームパイプ７の内部高さより僅かに小さい寸法に形成されている。アームパイプ７をアーム用ジョイント金具２に挿入すると、アーム用ジョイント金具２の終端側はアームパイプ７の内面に摺接する高さに形成されている。そして、下側ジョイント金具２１の脚部２１ｆと上側ジョイント金具２３の脚部２３ｆは後端部側から前方に向かって僅かにテーパ状にその高さが低く形成されている。そして、ねじ８を締め付けた時に、ねじ８の先端が下側ジョイント金具２１の本体部２１ａの上面を押して、ねじ８部分を中心に上下に移動できるように構成され、ねじ８の締め付けにより、下側ジョイント金具２１と上側ジョイント金具２３のフック２１ｂ、２３ｂが開き、下側ジョイント金具２１の係合凹部２１ｃ、上側ジョイント金具２３の係合凹部２３ｃがスリット６１の上下端部と係合して固持する。
【００４０】
図１３及び図１４に示すように、アームパイプ７の他端に取り付けられる壁面座金９は、２つの部材からなり、第１の部材９１は、Ｌ字型の挿入部９１ａとこの挿入部９１ａに直交して形成された壁面当接部９１ｂとからなる。同様に、第２の部材９２は、Ｌ字型の挿入部９１ａに組み合わされるＬ字型挿入部９２ａとこの挿入部９２ａに直交して形成された壁面当接部９２ｂとからなる。そして、Ｌ字型挿入部９１ａ、９２ａには、ねじ穴９１ｃ、９２ｃが設けられている。
【００４１】
図１４に示すように、この第１の部材９１と第２の部材９２を組み合わせると、アームパイプ７に挿入される挿入部９１ａ、９２ａは四角形状となり、図１５及び図１６に示すようにこの挿入部９１ａ、９２ａをアームパイプ７に挿入しねじ８ｂにより、アームパイプ７に壁面座金９を取り付ける。そして、壁面当接部９１ｂ、９２ｂを壁面に当接させ、ねじにより、壁面に固定する。
【００４２】
次に、この発明の第１の実施形態にかかるアーム用ジョイント金具２を用いて、支柱６にアームパイプ７を取り付ける方法につき、図３〜図１２を参照して説明する。
【００４３】
まず、図３から図６に従い、支柱６のスリット６１にアーム用ジョイント金具２を取り付ける方法につき説明する。図３は、この発明のパイプ連結装置に用いられるアーム用ジョイント金具２の下側ジョイント金具２１を支柱６のスリット６１に取り付けた状態を示す斜視図、図４は、この発明のパイプ連結装置に用いられるアーム用ジョイント金具２の上側ジョイント金具２３を支柱６のスリット６１に取り付ける状態を示す斜視図、図５は、この発明のパイプ連結装置に用いられるアーム用ジョイント金具２の上側ジョイント金具２３を支柱６のスリット６１に取り付ける状態を示す断面図、図６は、この発明のパイプ連結装置に用いられるアーム用ジョイント金具２の上側ジョイント金具２３を支柱６のスリット６１に取り付けた状態を示す断面図である。
【００４４】
図３に示すように、支柱６のスリット６１にアーム用ジョイント金具２の下側ジョイント金具２１のフック２１ｂを挿入し、下側ジョイント金具２１の係合凹部２１ｃをスリット６１の下端に係合させる。下側ジョイント金具２１の係合凹部２１ｃとスリット６１の下端を係合させると、図５に示すように、下側ジョイント金具２１が支柱６に対して直交した状態で取り付けられる。
【００４５】
そして、下側ジョイント金具２１の係合突起２１ｄに中間プレート２２の係合穴２２ｄを合わせて、下側ジョイント金具２１の上に中間プレート２２を載置する。中間プレート２２のねじ穴２２ｅの下は、下側ジョイント金具２１の本体部２１ａの上面が位置する（図５参照）。
【００４６】
続いて、図４及び図５に示すように、下側ジョイント金具２１が取り付けられた支柱６のスリット６１に、斜め方向からアーム用ジョイント金具２の上側ジョイント金具２３のフック２３ｂを挿入し、上側ジョイント金具２３の係合凹部２３ｃをスリット６１の上端に係合させる。そして、上側ジョイント金具２３を中間プレート２２方向に向かって回転させ、中間プレート２２の係合穴２２ｄに上側ジョイント金具２３の係合突起２３ｄを嵌め込み、中間プレート２２上に上側ジョイント金具２３を載置する。図６に示すように、上側ジョイント金具２３をスリット６１に係合させると、支柱６に対して直交した状態で取り付けられる。
【００４７】
上述したように、下側ジョイント金具２１と中間プレート２２と上側ジョイント金具２３を組み合わせたアーム用ジョイント金具２の終端側は、アームパイプ７の内部高さより僅かに小さい寸法に形成され、下側ジョイント金具２１の脚部２１ｆと上側ジョイント金具２３の脚部２３ｆは後端部側から前方に向かって僅かにテーパ状にその高さが低くなっている。
【００４８】
このようにして、支柱６のスリット６１にアーム用ジョイント金具２を取り付けた後に、図７に示すように、アーム用ジョイント金具２の後端からアームパイプ７を挿入する。アーム用ジョイント金具２の終端側とアームパイプ７の内面とは摺接して挿入される。そして、アームパイプ７に設けた穴７１の下に小判穴２３ｅから中間プレート２２のねじ穴２２ｅが臨む位置までアームパイプ７を差し込む。
【００４９】
図８〜図１２に示すように、ねじ穴２２ｅにねじ８をねじ込む。図８はアーム用ジョイント金具２の後端からアームパイプ７を挿入した状態を示す上面図、図９は図８のＡ−Ａ線断面図、図１０は図８のＢ−Ｂ線断面図である。図１１は、ねじ穴２２ｅにねじ８をねじ込んだ状態を示す断面図であり、図８のＡ−Ａ線断面図、図１２は、ねじ穴２２ｅにねじ８をねじ込んだ状態を示す断面図であり、図８のＡ−Ａ線断面図である。
【００５０】
ねじ穴２２ｅにねじ込むねじ８の頭部には六角レンチが嵌め込まれるレンチ穴８１が設けられており、このレンチ穴８１に図示しない六角レンチを嵌め込み、ねじ８を回す。図９及び図１０に示すように、アームパイプ７に設けた穴７１の下に小判穴２３ｅから中間プレート２２のねじ穴２２ｅが臨む位置までアームパイプ７を差し込む。そして、アームパイプ７の穴７１からねじ８を差し込む。
【００５１】
図１１及び図１２に示すように、ねじ穴２２ｅにねじ８をねじ込む。そして、レンチ穴８１に図示しない六角レンチを嵌め込み、ねじ８をねじ込んで行くと、ねじ８の先端が下側ジョイント金具２１の本体部２１ａの上部と当接する。この状態で更にねじ８をねじ込んで行くと、図１１及び図１２の矢印で示すように、上側ジョイント金具２３が上側に、下側ジョイント金具２１が下側にそれぞれの脚部２１ｆ、２３ｆのテーパ分だけ移動し、フック２１ｂが下に開き、フック２３ｂが上に開き、スリット６１の上下端部に係合凹部２１ｃ、２３ｃが固持され、アームパイプ７がアーム用ジョイント金具２を介して支柱６に強固に保持される。このようにして、支柱６のスリット６１にアームパイプ７を取り付けることができる。
【００５２】
このように、この発明のパイプ連結装置は、溶接などを用いず、各部材を容易に形成できると共に、支柱６のスリット６１にアーム用ジョイント金具２のフック２１ｂ、２３ｂを係合させた後、穴７１を設けたアームパイプ７をアーム用ジョイント金具２に挿入し、ねじ８で締め付けるという簡単な作業で支柱６のスリット６１にアームパイプ７を取り付けることができる。
【００５３】
アームパイプ７を壁面に取り付ける場合には、壁面座金９を装着する。図１３及び図１４に示すように、壁面座金９の第１の部材９１と第２の部材９２を組み合わせる。図１５及び図１６に示すように、壁面座金９の挿入部９１ａ、９２ａをアームパイプ７に挿入し、ねじ８ｂにより、アームパイプ７に壁面座金９を取り付ける。そして、壁面当接部９１ｂ、９２ｂを壁面に当接させ、ねじにより、壁面に固定する。
【００５４】
次に、丸パイプの支柱６ａに丸パイプのアームパイプ７ａを上記のアーム用ジョイント金具２を用いて取り付ける場合につき説明する。この実施形態の支柱６ａは、丸パイプの周面に複数のスリット６１が並んで設けられている、いわゆるダブルスリットパイプである。この支柱６ａは、例えば、床から天井にかけて設置される。
【００５５】
下側ジョイント金具２１と中間プレート２２と上側ジョイント金具２３を組み合わせたアーム用ジョイント金具２の終端側は、アームパイプ７ａの内周面に摺接する大きさに形成されている。
【００５６】
図１７に示すように、支柱６ａのスリット６１にアーム用ジョイント金具２の下側ジョイント金具２１のフック２１ｂを挿入し、下側ジョイント金具２１の係合凹部２１ｃをスリット６１の下端に係合させる。下側ジョイント金具２１の係合凹部２１ｃとスリット６１の下端を係合させると、下側ジョイント金具２１が支柱６ａに対して直交した状態で取り付けられる。
【００５７】
そして、下側ジョイント金具２１の係合突起２１ｄに中間プレート２２の係合穴２２ｄを合わせて、下側ジョイント金具２１の上に中間プレート２２を載置する。中間プレート２２のねじ穴２２ｅの下は、下側ジョイント金具２１の本体部２１ａの上面が位置する。
【００５８】
続いて、図１８に示すように、下側ジョイント金具２１が取り付けられた支柱６ａのスリット６１に、斜め方向からアーム用ジョイント金具２の上側ジョイント金具２３のフック２３ｂを挿入し、上側ジョイント金具２３の係合凹部２３ｃをスリット６１の上端に係合させる。そして、上側ジョイント金具２３を中間プレート２２方向に向かって回転させ、中間プレート２２の係合穴２２ｄに上側ジョイント金具２３の係合突起２３ｄを嵌め込み、中間プレート２２上に上側ジョイント金具２３を載置する。上側ジョイント金具２３をスリット６１に係合させると、支柱６ａに対して直交した状態で取り付けられる。
【００５９】
上述したように、下側ジョイント金具２１と中間プレート２２と上側ジョイント金具２３を組み合わせたアーム用ジョイント金具２の終端側は、アームパイプ７ａの内周面と当接する大きさに形成され、下側ジョイント金具２１の脚部２１ｆと上側ジョイント金具２３の脚部２３ｆは後端部側から前方に向かって僅かにテーパ状にその高さが低くなっている。
【００６０】
このようにして、支柱６ａのスリット６１にアーム用ジョイント金具２を取り付けた後に、図１９に示すように、アーム用ジョイント金具２の後端から丸パイプからなるアームパイプ７ａを挿入する。アーム用ジョイント金具２の終端側とアームパイプ７ａの内面とは摺接して挿入される。そして、アームパイプ７ａに設けた穴７１の下に小判穴２３ｅから中間プレート２２のねじ穴２２ｅが臨む位置までアームパイプ７ａを差し込む。
【００６１】
アーム用ジョイント金具２の後端からアームパイプ７ａを挿入し、アームパイプ７の穴７１にねじ８を差し込み、ねじ穴２２ｅにねじ８をねじ込む。そして、ねじ８をねじ込んで行くと、ねじ８の先端が下側ジョイント金具２１の本体上部と当接する。この状態で更にねじ８をねじ込んで行くと、上側ジョイント金具２３が上側に、下側ジョイント金具２１が下側にそれぞれの脚部のテーパ分だけ移動し、フック２１ｂが下に開き、フック２３ｂが上に開き、スリット６１の上下端部に係合凹部２１ｃ、２３ｃが固持され、アームパイプ７がアーム用ジョイント金具２を介して支柱６ａに強固に保持される。
【００６２】
このようにして、支柱６のスリット６１にアームパイプ７ａを取り付けることができる。
【００６３】
アームパイプ７を壁面に取り付ける場合には、壁面座金９を装着する。図２０及び図２１に示すように、壁面座金９の第１の部材９１と第２の部材９２を組み合わせる。図２２に示すように、壁面座金９の挿入部９１ａ、９２ａをアームパイプ７に挿入し、ねじ８ｂにより、アームパイプ７に壁面座金９を取り付ける。そして、壁面当接部９１ｂ、９２ｂを壁面に当接させ、ねじにより、壁面に固定する。
【００６４】
上記した実施形態においては、支柱６、６ａに並列したスリット６１を設けたものにアーム用ジョイント金具２を取り付けているが、アーム用ジョイント金具２の上下の一対のフック２１ｂ、２３ｂが係合できるものであればスリットに限らず、円穴などの開口部を設けた支柱に対してもこの発明のアーム用ジョイント金具２を用いてアームパイプ７、７ａを取り付けることができる。
【００６５】
次に、この発明の第２の実施形態に係るアーム用ジョイント金具２ａにつき、図２３から図４０を参照して説明する。
【００６６】
この第２の実施形態に係るアーム用ジョイント金具２ａは、アームパイプ７ｂに予め装着され、アームパイプ７ｂに装着されたアーム用ジョイント金具２ａを支柱６のスリット６１に係合させて、アームパイプ７ｂを取り付けるものである。
【００６７】
図２３〜図２９に示すように、第２の実施形態に係るアーム用ジョイント金具２ａは、下側ジョイント金具２１０と、中間プレート２２０と、上側ジョイント金具２３０とからなる。
【００６８】
下側ジョイント金具２１０は、鋼材で形成され、本体部２１０ａとこの本体部２１０ａから直交する様に下側に折り曲げられた一対の脚部２１０ｆを有し、脚部２１０ｆは本体部２１０ａから前方に突出する突出部２１０ｆ１を有している。そして、前方に突出したそれぞれの突出部２１０ｆ１に連接して支柱６のスリット６１に挿入される下方向に向いた横Ｌ字型のフック２１０ｂが設けられている。この一対のフック２１０ｂの間隔は、支柱６に形成された並設するスリット６１の間隔に対応し、並設されたスリット６１にフック２１０ｂが挿入される。係合凹部２１０ｃの前後方向の大きさは、支柱６のスリット６１部分の板厚に対応される大きさに形成されているので、板厚より僅かに大きく形成されている。この係合凹部２１０ｃは支柱６のスリット６１の下端と係合する。
【００６９】
下側ジョイント金具２１０の本体部２１０ａの後方に係合台座２１０ｈが設けられ、この係合台座２１０ｈに上側ジョイント金具２３０の後端突出部２３０ｉが挿入される開口部２１０ｉを有する門部２１０ｊが形成されている。係合台座２１０ｈと門部２１０ｉとの間に開口部２１０ｊが形成される。
【００７０】
下側ジョイント金具２１０の本体部２１０ａの上面には、２つの係合突起２１０ｇ、２１０ｍが設けられている。この係合突起２１０ｇ、２１０ｍは、本体部２１０ａの下面から打ち出して上面に突出するように形成されている。係合突起２１０ｇは、下側ジョイント金具２１０の上に載置される中間プレート２２０に設けられた切り欠き部２２０ｇと係合し、係合突起２１０ｍは中間プレート２２０に設けられた長穴２２０ｍと係合する。
【００７１】
下側ジョイント金具２１０の脚部２１０ｆの前方の下方には、アームパイプ７ｂに設けられた切り欠き部７２に係合する爪部２１０ｎが設けられ、爪部２１０ｎと爪部２１０ｎとの間にはアームパイプ７ｂの板厚より僅かに大きく形成された係合凹部２１０ｋが設けられている。
【００７２】
後述するように、下側ジョイント金具２１０、中間プレート２２０、上側ジョイント金具２３０を組み合わせたアーム用ジョイント金具２ａをアームパイプ７ｂ内に挿入し、下側ジョイント金具２１０の爪部２１０ｎをアームパイプ７ｂの下面７３に沿わせ、係合凹部２１０ｋを切り欠き部７２に係合させ、アームパイプ７にアーム用ジョイント金具２ａが取り付けられる。
【００７３】
中間プレート２２０は矩形状の鋼材からなり、前方側に切り欠き部２２０ｇが、切り欠き部の２２０ｇの後方側にねじ穴２２０ｅが、ねじ穴２２０ｅの後方側に係合穴２２０ｄが、この係合穴２２０ｄの後方に長穴２２０ｍが設けられている。この中間プレート２２０の長さは、下側ジョイント金具２１０の本体部２１０ａの長さと同じ長さに形成されている。
【００７４】
下側ジョイント金具２１０の係合突起２１０ｇを中間プレート２２０の切り欠き部２２０ｇと係合させ、下側ジョイント金具２１０の係合突起２１０ｍを長穴２２０ｍに係合させ、切り欠き部２２０ｇの端部と係合突起２１０ｇが当接した状態で、下側ジョイント金具２１０の上に中間プレート２２０を載置すると、ねじ穴２２０ｅの下は、本体部２１０ａの上面が位置するように構成されている。
【００７５】
上側ジョイント金具２３０は、鋼材で形成され、本体部２３０ａとこの本体部２３０ａから直交する様に上側に折り曲げられた一対の脚部２３０ｆを有し、脚部２３０ｆは本体部２３０ａから前方に突出する突出部２３０ｆ１を有している。そして、前方に突出したそれぞれの突出部２３０ｆ１に連接して支柱６のスリット６１に挿入される上方向に向いた横Ｌ字型のフック２３０ｂが設けられている。このフック２３０ｂの基端部には、上方に開放された係合凹部２３０ｃが設けられている。この一対のフック２３０ｂの間隔は、支柱６に形成された並設するスリット６１の間隔に対応し、並設されたスリット６１にフック２３０ｂが挿入される。係合凹部２３０ｃの前後方向の大きさは、支柱６のスリット６１部分の板厚に対応される大きさに形成されているので、板厚より僅かに大きく形成されている。この係合凹部２３０ｃは支柱６のスリット６１の上端と係合する。
【００７６】
上側ジョイント金具２３０の本体部２３０ａの下面には、係合突起２３０ｄ、２３０ｇが設けられている。この係合突起２３０ｄ、２３０ｇは、本体部２３０ａの上面から打ち出して下面に突出するように形成されている。係合突起２３ｄは、上側ジョイント金具２３０の下に位置する中間プレート２２０に設けられた係合穴２２０ｄと係合する。係合突起２３０ｇは、上側ジョイント金具２３０の下に位置する中間プレート２２０に設けられた切り欠き部２２０ｇと係合する。
【００７７】
上側ジョイント金具２３０の本体部２３０ａには、中間プレート２２０に設けられたねじ穴２２０ｅと臨む箇所に穴２３０ｅが設けられている。
【００７８】
この上側ジョイント金具２３０の本体部２３０ａの長さは、中間プレート２２０ａ長さと同じ長さに形成されている。
【００７９】
中間プレート２２０の係合穴２１０ｄに合わせて上側ジョイント金具２３０の係合突起２３０ｄを係合させると、穴２３０ｅの下にねじ穴２２０ｅが位置する。係合突起２３０ｇは切り欠き部２２０ｇに係合する。
【００８０】
上側ジョイント金具２３０の本体部２３０ａの後方部には後端突出部２３０ｉが形成され、この後端突出部２３０ｉにコイルばね２５０が装着される。
【００８１】
上側ジョイント金具２３０の脚部２３０ｆの終端側に上方に突出する山部２３０ｑが設けられている。この山部２３０ｑは、頂上の平坦部から前方に向かって円弧状に形成され、脚部２３０ｆの上端に繋がっている。
【００８２】
下側ジョイント金具２１０上に中間プレート２２０を載置し、下側ジョイント金具２１０の開口部２１０ｉにコイルばね２５０が装着された上側ジョイント金具２３０の後端突出部２３０ｉが挿入される。
【００８３】
下側ジョイント金具２１０と中間プレート２２０と上側ジョイント金具２３０を組み合わせたアーム用ジョイント金具２ａの終端側、即ち、下側ジョイント金具２１０の脚部２１０ｆの下端と、上側ジョイント金具２３０の山部２３０ｑの上端は、アームパイプ７ｂの内部高さより僅かに小さい寸法に形成されている。アームパイプ７ｂをアーム用ジョイント金具２ａに挿入すると、アーム用ジョイント金具２ａの下側ジョイント金具２１０の脚部２１０ｆの下端と、上側ジョイント金具２３０の山部２３０ｑの上端は、アームパイプ７ｂの内面に摺接するよう大きさに形成されている。下側ジョイント金具２１０の脚部２１０ｆと上側ジョイント金具２３の脚部２３０ｆは、アームパイプ７ｂの内面との間に隙間が形成されている。
【００８４】
そして、ねじ８を締め付けた時に、下側ジョイント金具２１０と上側ジョイント金具２３０のフック２１０ｂ、２３０ｂが開き、下側ジョイント金具２１０の係合凹部２１０ｃ、上側ジョイント金具２３０の係合凹部２３０ｃがスリット６１の上下端部と係合して固持できるように、ねじ８部分を中心に上下に移動できるように構成している。
【００８５】
下側ジョイント金具２１０上に中間プレート２２０を載置し、更に中間プレート２２０の上に上側ジョイント金具２３０を載置し、これら３つの部材を板バネからなるコ字型の取付部材２４０を用いて挟み込んで固定する。
【００８６】
取付部材２４０は、下側ジョイント金具２１０の本体部２１０ａの下面と当接する下板部２４０ａと上側ジョイント金具２３０の本体部２３０ａの上面と当接する上板部２４０ｂと、下板部２４０ａと上板部２４０ｂとを繋ぐ側板部２４０ｃとからなる。側板部２４０ｃの幅は中間プレート２２０の切り欠き部２２０ｇに入り込む幅に形成されている。下板部２４０ａには、下側ジョイント金具２１０の係合突起２１０ｇの下側に形成された凹部２１０ｐに入り込む突起２４０ｄが設けられている。
【００８７】
下側ジョイント金具２１０と、中間プレート２２０と、上側ジョイント金具２３０とを組み合わせ、フック２１０ｂ、２３０ｂとの間に取付部材２４０を入れ、中間プレート２２０の切り欠き部２２０ｇに取付部材２４０の側板部２４０ｃを入れ、側板部２４０ｃが下側ジョイント金具２１０の本体部２１０ａ、上側ジョイント金具２３０の本体部２３０ａに当接する位置まで押し込むと、下板部２４０ａの突起２４０ｄが下側ジョイント金具２１０の凹部２１０ｐに入り込み、取付部材２４０により３つの部材が固定される。
【００８８】
アーム用ジョイント金具２ａは、コイルばね２５０の付勢力により、中間プレート２２０と上側ジョイント金具２３０は門部２１０ｊとは反対側、即ち、下側ジョイント金具２１０のフック２１０ｂの先端方向に移動する。中間プレート２２０の長穴２２０ｍと下側ジョイント金具２１０の突起２１０ｍが当接した位置で中間プレート２２０と上側ジョイント金具２３０が位置決めされる。この時、上側ジョイント金具２３０の穴２３０ｅの下に中間プレート２２０のねじ穴２２０ｅが位置する。また、下側ジョイント金具２１０の係合突起２１０ｇと上側ジョイント金具２３０の突起２３０ｇは中間プレート２２０の切り欠き部２２０ｇの同じ位置で上下に重ならないように位置するように、両係合突起２１０ｇ、２３０ｇの高さが決められている。
【００８９】
後述するように、上側ジョイント金具２３０は、支柱６の壁面に当接することにより、コイルばね２５０の付勢力に抗して、コイルばね２５０が縮み、上側ジョイント金具２３０が門部２１０ｊの方向へ移動する。
【００９０】
コイルばね２５０が縮んだ状態を図２７〜図２９を参照して説明する。上側ジョイント金具２３０のフック２３０ｂの先端が支柱６の壁面に当接すると、コイルばね２５０の付勢力に抗して、上側ジョイント金具２３０が支柱６の壁面から遠ざかる方向に移動することになる。上側ジョイント金具２３０と中間プレート２２０は係合突起２３０ｄと係合穴２２０ｄで係合されており、下側ジョイント金具２１０と中間プレート２２０とは、突起２１０ｇと切り欠き部２２０ｇと係合突起２１０ｍと長穴２２０ｍとで係合されている。このため、上側ジョイント金具２３０と中間プレート２２０とは、下側ジョイント金具２１０に対して一体に移動する。すなわち、中間プレート２２０の切り欠き部２２０ｇと長穴２２０ｍに係合する下側ジョイント金具２１０の係合突起２１０ｇ、２１０ｍに案内され、中間プレート２２０と上側ジョイント金具２３０が移動する。
【００９１】
そして、上側ジョイント金具２３０のフック２３０ｂに当接するものがなくなると、コイルばね２５０の付勢力により、上側ジョイント金具２３０と中間プレート２２０は、前方へ移動し、図２４〜図２６に示す状態となる。
【００９２】
次、この第２の実施形態に係るアーム用ジョイント金具２ａを用いて、支柱６のスリット６１にアームパイプ７ｂを取り付ける方法につき説明する。
【００９３】
図３０に示すように、アームパイプ７ｂは、角パイプからなり、下面にアーム用ジョイント金具２ａを取り付けるための切り欠き部７２、７２が設けられている。アームパイプ７ｂの上面には、ねじ８が挿入される穴７１が設けられている。
【００９４】
下側ジョイント金具２１０と、中間プレート２２０と、上側ジョイント金具２３０とを組み合わせ、フック２１０ｂ、２３０ｂとの間に取付部材２４０を入れ、取付部材２４０の下板部２４０ａの突起２４０ｄを下側ジョイント金具２１０の凹部２１０ｐに入り込ませ、取付部材２４０により３つの部材を固定してアーム用ジョイント金具２ａを用意する。
【００９５】
そして、図３１及び図３２に示すように、アームパイプ７ｂの切り欠き部７２、７２が設けられた開口部から、アーム用ジョイント金具２ａの後端部からアーム用ジョイント金具２ａをアームパイプ７ｂ内に挿入する。下側ジョイント金具２１０の爪部２１０ｎをアームパイプ７ｂの下面７３に沿わせ、係合凹部２１０ｋを切り欠き部７２に係合させ、アームパイプ７ｂにアーム用ジョイント金具２ａが取り付けられる。
【００９６】
図３３に示すように、アーム用ジョイント金具２ａを取り付けたアームパイプ７ｂを支柱６のスリット６１に挿入させる。
【００９７】
図３６及び図３４に示すように、下側ジョイント金具２１０のフック２１０ｂをスリット６１内に挿入させる。この時、上側ジョイント金具２３０のフック２３０ｂは、支柱６の壁面６２に当接する。図３６及び図３７に示すように、上側ジョイント金具２３０のフック２３０ｂは、支柱６の壁面６２に当接する。上側ジョイント金具２３０のフック２３０ｂの先端が支柱６の壁面６２に当接すると、コイルばね２５０の付勢力に抗して、上側ジョイント金具２３０が支柱６の壁面６２から遠ざかる方向に移動し、アームパイプ７ｂ内に上側ジョイント金具２３０のフック２３０ｂが入り込む。この時、上側ジョイント金具２３０と中間プレート２２０とは、下側ジョイント金具２１０に対して一体に移動する。
【００９８】
図３８及び図３９に示すように、アームパイプ７ｂを下に移動させ、下側ジョイント金具２１０のフック２１０ｂの係合凹部２１０ｃをスリット６１の下端に係合させる。このアームパイプ７ｂの下方向の移動により、上側ジョイント金具２３０のフック２３０ｂは支柱６の壁面６２からスリット６１に臨むことになる。上側ジョイント金具２３０のフック２３０ｂに当接するものがなくなると、コイルばね２５０の付勢力により、上側ジョイント金具２３０と中間プレート２２０は、前方へ移動し、上側ジョイント金具２３０のフック２３０ｂがスリット６１内に入り込み、係合凹部２３０ｃがスリット６１の上端部の下に位置する。
【００９９】
そして、アームパイプ７ｂの穴７１にねじ８を差し込み、ねじ穴２２０ｅにねじをねじ込む。そして、ねじ８をねじ込んで行くと、ねじ８の先端が下側ジョイント金具２１０の本体部２１０ａの上部と当接する。この状態で更にねじ８をねじ込んで行くと、上側ジョイント金具２３０が上側に移動し、スリット６１の上下端部に係合凹部２１ｃ、２３ｃが固持され、アームパイプ７ｂがアーム用ジョイント金具２ａを介して支柱６に保持される。
【０１００】
このようにして、支柱６のスリット６１にアームパイプ７ｂを取り付けることができる。
【０１０１】
アームパイプ７ｂを壁面に取り付ける場合には、図１３及び図１４に示す壁面座金９を装着する。壁面座金９の挿入部９１ａ、９２ａをアームパイプ７に挿入し、ねじ８ｂにより、アームパイプ７に壁面座金９を取り付ける。そして、壁面当接部９１ｂ、９２ｂを壁面に当接させ、ねじにより、壁面に固定する。
【０１０２】
上記した第２の実施形態においては、支柱６に並列したスリット６１を設けたものにアーム用ジョイント金具２ａを取り付けているが、アーム用ジョイント金具２ａの上下の一対のフック２１０ｂ、２３０ｂが係合できるものであればスリットに限らず、円穴などの開口部を設けた支柱に対してもこの発明のアーム用ジョイント金具２ａを用いてアームパイプ７ｂを取り付けることができる。
【０１０３】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【０１０４】
２、２ａ    ：アーム用ジョイント金具
６、６ａ    ：支柱
７、７ａ、７ｂ  ：アームパイプ
８、８ｂ      ：ねじ
９          ：壁面座金
２０ａ      ：本体部
２０ｋ      ：係合凹部
２１        ：下側ジョイント金具
２１ａ      ：本体部
２１ｂ      ：フック
２１ｃ      ：係合凹部
２１ｄ      ：係合突起
２１ｆ      ：脚部
２１ｆ１    ：突出部
２２        ：中間プレート
２２ｄ      ：係合穴
２２ｅ      ：ねじ穴
２３        ：上側ジョイント金具
２３ａ      ：本体部
２３ｂ      ：フック
２３ｃ      ：係合凹部
２３ｄ      ：係合突起
２３ｅ      ：穴
２３ｆ      ：脚部
２３ｆ１    ：突出部
６１        ：スリット
６２        ：壁面
７１        ：穴
７２        ：切り欠き部
７３        ：下面
８１        ：レンチ穴
９１        ：第１の部材
９１ａ      ：挿入部
９１ｂ      ：壁面当接部
９１ｃ      ：ねじ穴
９２        ：第２の部材
９２ａ      ：挿入部
９２ｂ      ：壁面当接部
９２ｃ      ：ねじ穴
２１０      ：下側ジョイント金具
２１０ａ    ：本体部
２１０ｂ    ：フック
２１０ｃ    ：係合凹部
２１０ｄ    ：係合穴
２１０ｆ    ：脚部
２１０ｆ１  ：突出部
２１０ｇ    ：係合突起
２１０ｈ    ：係合台座
２１０ｉ    ：開口部
２１０ｊ    ：門部
２１０ｋ    ：係合凹部
２１０ｍ    ：係合突起
２１０ｎ    ：爪部
２１０ｐ    ：凹部
２２０      ：中間プレート
２２０ｄ    ：係合穴
２２０ｅ    ：ねじ穴
２２０ｇ    ：切り欠き部
２２０ｍ    ：長穴
２３０      ：上側ジョイント金具
２３０ａ    ：本体部
２３０ｂ    ：フック
２３０ｃ    ：係合凹部
２３０ｄ    ：係合突起
２３０ｅ    ：穴
２３０ｆ    ：脚部
２３０ｆ１  ：突出部
２３０ｇ    ：係合突起
２３０ｉ    ：後端突出部
２３０ｑ    ：山部
２４０      ：取付部材
２４０ａ    ：下板部
２４０ｂ    ：上板部
２４０ｃ    ：側板部
２４０ｄ    ：突起
２５０      ：コイルばね
２９０ｑ    ：山部
【図１】
2018128029.tif 000003
【図２】
2018128029.tif 000004
【図３】
2018128029.tif 000005
【図４】
2018128029.tif 000006
【図５】
2018128029.tif 000007
【図６】
2018128029.tif 000008
【図７】
2018128029.tif 000009
【図８】
2018128029.tif 000010
【図９】
2018128029.tif 000011
【図１０】
2018128029.tif 000012
【図１１】
2018128029.tif 000013
【図１２】
2018128029.tif 000014
【図１３】
2018128029.tif 000015
【図１４】
2018128029.tif 000016
【図１５】
2018128029.tif 000017
【図１６】
2018128029.tif 000018
【図１７】
2018128029.tif 000019
【図１８】
2018128029.tif 000020
【図１９】
2018128029.tif 000021
【図２０】
2018128029.tif 000022
【図２１】
2018128029.tif 000023
【図２２】
2018128029.tif 000024
【図２３】
2018128029.tif 000025
【図２４】
2018128029.tif 000026
【図２５】
2018128029.tif 000027
【図２６】
2018128029.tif 000028
【図２７】
2018128029.tif 000029
【図２８】
2018128029.tif 000030
【図２９】
2018128029.tif 000031
【図３０】
2018128029.tif 000032
【図３１】
2018128029.tif 000033
【図３２】
2018128029.tif 000034
【図３３】
2018128029.tif 000035
【図３４】
2018128029.tif 000036
【図３５】
2018128029.tif 000037
【図３６】
2018128029.tif 000038
【図３７】
2018128029.tif 000039
【図３８】
2018128029.tif 000040
【図３９】
2018128029.tif 000041
【図４０】
2018128029.tif 000042
【図４１】
2018128029.tif 000043
【図４２】
2018128029.tif 000044
【図４３】
2018128029.tif 000045